(57)【要約】【課題】  画像形成装置のコストを上昇させることなくプラテンガラスの結露発生を防止することができる画像形成装置を提供する。【解決手段】  プラテンガラスと、該プラテンガラス上に載置された原稿を下から照射する露光ランプと、を有する画像形成装置において、前記露光ランプに通電を行い該露光ランプより発する熱で前記プラテンガラスを加熱するプラテンガラス加熱制御を行う制御手段を有することを特徴とする画像形成装置。【選択図】        なし【特許請求の範囲】
【請求項１】
プラテンガラスと、該プラテンガラス上に載置された原稿を下から照射する露光ランプと、を有する画像形成装置において、
前記露光ランプに通電を行い、該露光ランプより発する熱で前記プラテンガラスを加熱するプラテンガラス加熱制御を行う制御手段を有することを特徴とする画像形成装置。
【請求項２】
前記制御手段は、前記プラテンガラス加熱制御時に前記露光ランプをスキャン動作させることを特徴とする請求項１に記載の画像形成装置。
【請求項３】
前記制御手段は、前記画像形成装置の主電源をオンとした時に前記プラテンガラス加熱制御を行うことを特徴とする請求項１又は２に記載の画像形成装置。
【請求項４】
前記画像形成装置の主電源をオフしたときからの経過時間をカウントするカウント手段を有し、
前記制御手段は、前記画像形成装置の主電源をオンとした時に前記カウント手段でカウントした経過時間が一定時間以上の場合に前記プラテンガラス加熱制御を行うことを特徴とする請求項１又は２に記載の画像形成装置。
【請求項５】
前記画像形成装置の装置内と装置外の温度を測定する温度測定手段を有し、
前記制御手段は、前記画像形成装置の主電源をオンとした時に前記温度測定手段で測定された装置内と装置外の温度の温度差を算出し、該温度差が一定値以上である場合に前記プラテンガラス加熱制御を行うことを特徴とする請求項１又は２に記載の画像形成装置。
【発明の詳細な説明】
【技術分野】
【０００１】
本発明は、複写機、プリンタなどの画像形成装置に関し、プラテンガラスの結露を防止する画像形成装置に関する。
【背景技術】
【０００２】
画像形成装置の結露は、画像形成装置の温度が低い状態で暖かい大気に接触した場合等に発生しやすい。例えば、温度の低い倉庫等に長時間保管されていた画像形成装置を暖かいオフィス等に移動して画像形成装置を仕様する場合や、冬場の気温の低い状態の環境の中で画像形成装置の主電源をオンとして使用するような場合等は、温度の低くなっている画像形成装置が暖かい空気に触れてしまうことから結露が発生しやすくなる。結露による不具合は、結像系の濡れによる画像ボケや、結露跡による濃度ムラや縦スジ等が挙げられる。
【０００３】
従来の画像形成装置には、複写機のベースフレームの表面全体に面発熱体を取り付けることにより、複写機内部の結露を防止し、長期にわたって良好なコピーを得ようとする技術が開示されている（例えば特許文献１参照）。
【特許文献１】特開昭５９−１０１６８６号公報
【発明の開示】
【発明が解決しようとする課題】
【０００４】
画像形成装置において、特に原稿を直接載置して複写を行うプラテンガラスは、結露が非常に発生しやすい。また、プラテンガラスに結露が発生することによって形成される画像に与える影響は非常に大きく、プラテンガラスの結露発生により画像品質が大きく低下してしまうことが従来からの課題となっている。
【０００５】
また、プラテンガラスの結露を防止するために新たに発熱体を設けたりした場合には画像形成装置のコストが上昇してしまうという課題もある。
【０００６】
本発明は、かかる課題に鑑みてなされたものであり、本発明の目的は、コストを抑えてプラテンガラスの結露の発生を防止して高品質な画像形成を行うことができる画像形成装置を提供することにある。
【課題を解決するための手段】
【０００７】
本発明の目的は下記構成により達成される。
（請求項１）
プラテンガラスと、該プラテンガラス上に載置された原稿を下から照射する露光ランプと、を有する画像形成装置において、
前記露光ランプに通電を行い、該露光ランプより発する熱で前記プラテンガラスを加熱するプラテンガラス加熱制御を行う制御手段を有することを特徴とする画像形成装置。
（請求項２）
前記制御手段は、前記プラテンガラス加熱制御時に前記露光ランプをスキャン動作させることを特徴とする請求項１に記載の画像形成装置。
（請求項３）
前記制御手段は、前記画像形成装置の主電源をオンとした時に前記プラテンガラス加熱制御を行うことを特徴とする請求項１又は２に記載の画像形成装置。
（請求項４）
前記画像形成装置の主電源をオフしたときからの経過時間をカウントするカウント手段を有し、
前記制御手段は、前記画像形成装置の主電源をオンとした時に前記カウント手段でカウントした経過時間が一定時間以上の場合に前記プラテンガラス加熱制御を行うことを特徴とする請求項１又は２に記載の画像形成装置。
（請求項５）
前記画像形成装置の装置内と装置外の温度を測定する温度測定手段を有し、
前記制御手段は、前記画像形成装置の主電源をオンとした時に前記温度測定手段で測定された装置内と装置外の温度の温度差を算出し、該温度差が一定値以上である場合に前記プラテンガラス加熱制御を行うことを特徴とする請求項１又は２に記載の画像形成装置。
【発明の効果】
【０００８】
本発明によって、画像形成装置のコストを上昇させることなくプラテンガラスの結露発生を防止することができる画像形成装置を提供することができる。
【発明を実施するための最良の形態】
【０００９】
本発明に係る画像形成装置についての一例を、以下にその実施の形態を図を用いて説明するが、本発明はこれに限定されない。また、以下の説明には用語等に対する断定的な表現が含まれている場合があるが、本発明の好ましい例を示すものであって、本発明の用語の意義や技術的な範囲を限定するものではない。
【００１０】
図１は、本発明に係る画像形成装置の一例の断面図を示す。
【００１１】
図１に示す画像形成装置は自動原稿送り装置１、画像読み取り装置２、画像処理部Ｃ、画像形成部３、用紙収納部Ｄ、給紙部４、反転排紙・再給紙部５、および、反転搬送部６を有している。
【００１２】
前記自動原稿送り装置１は、原稿を一枚ずつ送り出し、原稿を画像読取位置へと搬送し、画像読取が終わった原稿を所定の場所に排紙処理する装置である。
【００１３】
前記自動原稿送り装置１は、原稿を載置する原稿載置台１１、原稿載置台１１上に載置された原稿を分離する原稿分離手段１２、原稿分離手段１２で分離された原稿を搬送する複数のローラを含む原稿搬送手段１３、原稿搬送手段１３で搬送された原稿を排紙する原稿排紙手段１４、原稿排紙手段１４によって排紙された原稿を載置する原稿排紙台１５、および、両面複写モードにおいて原稿の表裏を反転させるための反転ローラ対からなる原稿反転手段１６を有している。
【００１４】
前記原稿載置台１１上に載置された複数枚の原稿（不図示）は、原稿分離手段１２によって１枚づつ分離され、前記原稿搬送手段１３によって画像読取位置を介して搬送される。
【００１５】
原稿読取位置は前記原稿搬送手段１３の下方に設けられており、画像読み取り装置２のスリット２１を通して原稿の画像が読み取られるようになっている。
【００１６】
画像が読み取られた原稿は、原稿排紙手段１４によって原稿排紙台１５上へと排紙される。
【００１７】
一方、原稿の両面の画像を読み取る際には、一度片面の画像が読み取られた原稿を原稿反転手段１６に導き、原稿の後端が前記原稿反転手段１６を構成する反転ローラ対に挟持された状態において当該反転ローラ対を逆回転させて原稿の表裏を反転し、再度、前記原稿搬送手段１３で搬送することにより、前記原稿読取位置において他の面（第２面）の画像を読み取ることができる。
【００１８】
このような工程が原稿載置台１１上に載置された原稿の枚数分繰り返される。
【００１９】
また、前記自動原稿送り装置１は可倒式に構成されており、この自動原稿送り装置１を起こして本発明に係るプラテンガラス２２上を開放し、当該プラテンガラス２２上に原稿を直接載置して複写を行うこともできるように構成してある。
【００２０】
画像読み取り装置２は、原稿の画像を読み取って画像データを得るための装置であり、前記スリット２１を介して原稿を照射する本発明に係る露光ランプ２３１と原稿からの反射光を反射させる第１ミラー２３２とを一体化してなる第１ミラーユニット２３と、前記第１ミラー２３２からの光を反射させる第２ミラー２４１と第３ミラー２４２とを一体化してなる第２ミラーユニット２４と、当該第２ミラーユニット２４からの反射光を、撮像素子であるＣＣＤ（後記）に結像させる結像レンズ２５、および、結像レンズ２５によって結像された光像を光電変換するライン状のＣＣＤ２６を有している。
【００２１】
光電変換されたアナログ信号は、アナログ処理後にＡ／Ｄ変換され、画像処理部Ｃでシェーディング補正、フィルタ処理、あるいは、γ補正等の適宜の画像処理を施されて画像データとされた後、一旦、図示しないメモリに蓄積されるようになっている。
【００２２】
前記自動原稿送り装置１によって送られる原稿を画像読み取り装置２で読み取る態様においては、前記第１ミラーユニット２３、および、前記第２ミラーユニット２４は、図示の如き位置に固定される。
【００２３】
なお、前記プラテンガラス２２上に載置された原稿の画像を読み取る態様においては、露光ランプ２３１を有する前記第１ミラーユニット２３と前記第２ミラーユニット２４とを、光路長を保ちながら、プラテンガラス２２に沿ってスキャンさせることにより行う。
【００２４】
画像形成部３は、電子写真プロセスを用いて画像形成する部位であり、光導電性感光層を表面に有するドラム状の像担持体（以下、感光体ドラムという）３１、当該感光体ドラム３１の表面を一様帯電させる帯電器３２、画像処理後の画像データに基づいて作動され、前記感光体ドラム３１上を露光して静電荷潜像を形成するための露光手段であるレーザー書込系３３、前記感光体ドラム３１上に形成される静電荷潜像を反転現像（顕像化）してトナー像となす現像器３４、顕像化された前記トナー像を、例えば、用紙からなる転写材上に転写せしめる転写極３５、トナー像が転写された用紙の裏面からＡＣコロナ放電を行い、前記感光体ドラム３１上からの用紙の分離を促進する除電器３６、および、感光体ドラムを挟んで前記現像器３４と略反対側に設けた、転写工程終了後の前記感光体ドラム３１の表面を清掃するクリーニング装置３７等、公知の画像形成手段を有する。
【００２５】
３８は分離後の用紙を、加熱ローラ型の定着装置３９に向けて搬送する搬送ベルトである。
【００２６】
前記定着装置３９は、加熱源Ｉを内蔵し、その周囲を独立回転する定着上ローラ３９０と、前記定着上ローラ３９０と圧接しながら回転する定着下ローラ３９３からなる定着処理手段を主要素とする。
【００２７】
前記定着装置３９の下流には、反転排紙・再給紙部５の構成要素である定着排出ローラ５１、切替手段５２、排紙ローラ５３が備えてある。
【００２８】
なお、前記定着装置３９内に示すＷは定着上ローラ３９０の表面に接触して設けたクリーニングウェブで、例えば、装置作動中における適宜の時間間隔で図の左側に示す巻き取り芯上に少しづつ巻き取られるようになっている。
【００２９】
上記構成を用いての用紙上への画像形成は、適宜の駆動手段によって矢示の方向に回転する感光体ドラム３１を帯電器３２により順次帯電した後、レーザー書込系３３によるドット露光で原稿画像に対応した静電荷潜像を形成し、現像器３４により前記静電荷潜像をトナー像となし、その後、第２給紙手段としてのレジストローラ４６の回転開始により給送される用紙Ｐ上に、前記転写極３５の作用を介して転写させることで達成される。
【００３０】
転写後の用紙は除電器３６の作用により前記感光体ドラム３１上から分離され、前記定着装置３９の加熱・加圧作用を受けた後、例えば、排紙トレイ７から排出される。
【００３１】
一方、転写領域を通過した感光体ドラム３１は更に回転を続け、クリーニング手段３７によって残留トナーが除去されて次の画像形成への準備がなされる。
【００３２】
クリーニング装置によって除去されたトナーはトナーリサイクル装置によって所定の場所まで搬送され、再び現像剤として使用される経路をとる。
【００３３】
構成の説明に戻って、用紙収納部Ｄには、用紙Ｐを積層状態で収納する給紙トレイＤ１、Ｄ２、Ｄ３が上下方向に配列してある（用紙Ｐは給紙トレイＤ１においてのみ図示）。
【００３４】
また、それぞれの給紙トレイは、給紙部４を構成する要素である専用の給紙ローラ４０、４１、４２と重層防止用の分離手段である一対の分離ローラ４０３、４１３、４２３とを一体的に引き出し可能に設けてある。
【００３５】
前記給紙部４は前記給紙ローラ等の他に、前記給紙トレイＤ１、Ｄ２、Ｄ３のそれぞれから前記画像形成部３へと用紙Ｐを搬送するための搬送手段として、搬送ローラ対（以下、搬送ローラともいう）Ｒ１、Ｒ２、Ｒ３、Ｒ４、Ｒ５、Ｒ６、および、前述したレジストローラ４６、転写前ローラ４７等を備えている。
【００３６】
４５は前記用紙Ｐの搬送方向にみて前記搬送ローラＲ６の下流に設けた搬送ローラで、後述する反転搬送部６を介して送り出される用紙の搬送路と、例えば、前記給紙トレイＤ１から給紙される用紙の搬送路との合流部に設けてある。
【００３７】
反転排紙・再給紙部５は、転写・定着後の用紙Ｐを反転排紙したり、両面画像形成モードに従って用紙Ｐを再給紙するための領域であり、定着排出ローラ５１により排出された用紙Ｐをそのまま機外へ排出する場合と、表裏反転させた後に排出する場合と、用紙Ｐの裏面（第２面）に画像形成するために当該用紙Ｐを前記レジストローラ４６に向けて再給紙する場合とにおいて搬送路を切り替える切替手段５２を有している。
【００３８】
なお、前記反転搬送部６は、前記搬送ローラ５７により搬送される用紙Ｐを更に右方向に送り込み、その後端を挟持しているタイミングで回転停止した後に逆回転するように駆動制御される搬送ローラ対６０を有し、当該搬送ローラ対６０の逆回転による左方向への搬送途上から、上方に弧を描いた後に右方向に延びる搬送路に沿って搬送される。
【００３９】
搬送ローラ対６０を含む６１、６２、６３、６４、６５は、前記反転搬送部６の搬送路上に設けた搬送ローラ対である。
【００４０】
図１に示す画像形成装置は、本発明に係る制御手段である制御部Ｆを有しており、制御部Ｆにて、動原稿送り装置１、画像読み取り装置２、画像形成部３、給紙部４、反転排紙・再給紙部５、反転搬送部６の動作の制御が行われて画像形成を行う。
【００４１】
また、画像形成装置は、本発明に係るカウント手段であり画像形成装置の主電源がオフになってからの経過時間をカウントするカウント部Ｇを有している。さらに、画像形成装置は、本発明に係る温度測定手段であり画像形成装置内の温度と画像形成装置外の温度（通常は画像形成装置の設置されている場所の温度となる）とを測定する温度センサーＨを有している。
【００４２】
図２に、本発明の画像形成装置の概略ブロック図を示す。図２に示すように、制御部Ｆは、動原稿送り装置１、画像読み取り装置２（露光ランプ２３１を含む）、画像形成部３、給紙部４、反転排紙・再給紙部５、反転搬送部６の制御を行うと共に、図示しない入力部、表示部、メモリと、カウント部Ｇ、温度センサーＨとも接続されており、制御部Ｆには、カウント部Ｇ、温度センサーＨで測定されたそれぞれの測定値の情報が送信される構成となっている。
【００４３】
制御部Ｆは、本発明に係るプラテンガラス加熱制御を行う。プラテンガラス加熱制御とは、露光ランプ２３１に通電を行い露光ランプ２３１から熱を発生させ、この熱をプラテンガラス２２に与えてプラテンガラス２２を加熱させる制御である。
【００４４】
制御部Ｆがプラテンガラス加熱制御を行うことで、プラテンガラス２２を加熱することができ、プラテンガラス２２に結露が発生するのを防止することができる。また、露光ランプ２３１を加熱源として用いていることから、画像形成装置に新たに加熱体を設けることもなく画像形成装置のコストを上昇させることもない。
【００４５】
制御部Ｆは、プラテンガラス加熱制御時に、露光ランプ２３１を有する第１ミラーユニット２３をスキャン動作させる制御を行うこともできる。このように露光ランプ２３１をプラテンガラス２２の広い領域にわたって移動させることにより、露光ランプ２３１より発生する熱を効率よくプラテンガラス２２に与えることができ、プラテンガラス２２の広い領域をより効率よく短時間で加熱することができる。この露光ランプ２３１をスキャンさせる動作は、例えば、プラテンガラス２２がかなり低温になっておりプラテンガラス２２を短時間で効率よく加熱する必要がある場合に選択的に行われるようにするのが好ましい。露光ランプ２３１のスキャンは、用紙Ｐの最大原稿サイズと同等の領域をスキャンすることが好ましく、これにより、画像形成に影響を与えるプラテンガラス２２の全領域を均一に加熱することができる。
【００４６】
プラテンガラス加熱制御は、ユーザが入力部（タッチパネルを用いての表示部からの入力も可）よりプラテンガラス加熱制御を行う指令を入力するなどして、制御部がプラテンガラス加熱制御を行うようにすることもできるが、制御部Ｆが自動的にプラテンガラス加熱制御を行うようにすることが好ましい。
【００４７】
例えば、画像形成装置の主電源をオンにしたときに、制御部Ｆが自動的にプラテンガラス加熱制御を行うように設定することができる。プラテンガラス２２に結露が発生しやすいのは、プラテンガラス２２の温度が低い状態のときに暖かい大気が接触した場合等であり、装置の主電源がオフの状態からオンにした時は、プラテンガラス２２は温度が低くなっていることが多く、装置内に発生する暖かい空気がプラテンガラス２２に接触することで結露が発生しやすい。特に、温度の低い倉庫等に長時間保管されていた画像形成装置を暖かいオフィス等に移動して画像形成装置の主電源をオンにして使用する場合等は、プラテンガラス２２がかなり低温になっていることが多く、この状態で主電源をオンにすると、プラテンガラス２２に結露が非常に発生しやすい。
【００４８】
そこで、画像形成装置の主電源がオンとなる時に、制御部Ｆがプラテンガラス加熱制御を行うようすることで、プラテンガラスの結露発生をより確実に防止することができる。
【００４９】
また、制御部Ｆは、上述したように画像形成装置の主電源をオンにすると必ずプラテンガラス加熱制御を行うようにするのではなく、装置の主電源をオンとしたとき、カウント部Ｇでカウントした画像形成装置の主電源がオフとなってから経過した経過時間が一定時間以上となっているに場合だけ、プラテンガラス加熱制御を行うようにすることもできる。例えば画像形成装置の主電源をオフにしてからそれほど時間が経過してない状態で画像形成装置の主電源をオンにした時のように、プラテンガラスが結露を発生するほど温度が低下していないこともあり、このようなときは、装置の主電源をオフからオンにしても、プラテンガラスに結露が発生しない場合がある。従って、そのような場合に制御部Ｆはプラテンガラス加熱制御を行わなず、一定時間が経過した場合だけプラテンガラス加熱制御を行うようにすることで、余分な電力を消費せずかつプラテンガラスの結露の発生を防止することができる。また、冬場などに長時間装置の主電源がオフとなっていた場合はプラテンガラスの温度が著しく低下していることもあり、このようなときには、制御部Ｆは、プラテンガラス加熱制御時に、露光ランプ２３１を有する第１ミラーユニット２３をスキャン動作させる制御を行うようにすることも好ましい。
【００５０】
図３に画像形成装置の主電源オフからの経過時間に基づいた制御部Ｆのプラテンガラス加熱制御の動作についてのフローチャートを示す。
【００５１】
画像形成装置の主電源がオンにされると（Ｓ−１）、制御部Ｆにカウント部Ｇで主電源オフとなってからの経過時間が送られる（Ｓ−２）。
【００５２】
制御部Ｆは、カウント部Ｇから送信された経過時間が一定時間を超えている場合には、露光ランプをオンにする制御を行う（Ｓ−３）。ここで、一定時間としては、通常、装置をオン状態からオフにしたときにプラテンガラス２２が結露を発生する可能性のある温度まで低下するのに要する時間に設定されている。なお、一定時間は図示しない入力部等からユーザが変更できるようになっており、装置の設置されている室温の状況に応じて一定時間を適宜調整することができる。
【００５３】
露光ランプをオンにしてから所定時間経過後に露光ランプをオフにする（Ｓ−４、Ｓ−５）。この所定時間は、通常、プラテンガラス２２がプラテンガラス加熱制御によって結露の発生しない温度まで加熱されるのに要する時間に設定されている。
【００５４】
また、制御部Ｆは、経過時間が一定時間以下である場合には、プラテンガラス加熱制御を行わない（Ｓ−２）。
【００５５】
このように、制御部Ｆは、カウント部Ｇでカウントされた経過時間から、一定時間が経過した場合のみプラテンガラス加熱制御を行うようにすることで、余分な電力を消費しないで効率よくプラテンガラス２２の結露の発生を防止することができる。
【００５６】
さらに、制御部Ｆは、装置の主電源をオンとしたとき、温度センサーＨで測定した装置内の温度と装置外の温度の温度差を算出し、この温度差が一定値以上となった場合だけ、プラテンガラス加熱制御を行うようにすることもできる。この制御は実際に装置内と装置外の温度差を温度センサーＨで測定し、この温度差がプラテンガラス２２に結露が発生する可能性のある一定値以上となった場合だけ、プラテンガラス加熱制御を行うので、余分な電力を消費せず効率よくプラテンガラス２２の結露の発生を防止することができる。このような制御は、特に、温度の低い倉庫等に長時間保管されていた画像形成装置を暖かいオフィス等に移動して画像形成装置の主電源をオンにして使用する場合等に有効である。また、この制御は、実際に温度差を測定してプラテンガラス加熱制御を行うことから、温度差に応じてプラテンガラス２２の加熱程度の調整を行いやすい。従って、温度差が非常に大きく短時間でプラテンガラス２２を加熱する必要があるような場合には、上述したようにプラテンガラス加熱制御時に露光ランプ２３１をスキャン動作させることにより、より短時間で効率的にプラテンガラス２２全体を加熱するようにしてもよい。
【００５７】
図４に画像形成装置の装置内外の温度差に基づいた制御部Ｆのプラテンガラス加熱制御の動作についてのフローチャートを示す。
【００５８】
画像形成装置の主電源がオンにされると（Ｓ−１１）、制御部Ｆは、温度センサーＨから送られる画像形成装置内の温度と画像形成装置外の温度の温度差を算出する（Ｓ−１２）。
【００５９】
制御部Ｆは、温度差が第一基準（結露がやや発生しやすくなる温度差）以上であり（Ｓ−１３）、さらに第二基準（非常に結露しやすくなる温度差）以上である場合は（Ｓ−１４）、短時間で効率よくプラテンガラス２２全体を加熱するようにするため、露光ランプ２３１をオンにして、さらに露光ランプ２３１をスキャン動作する制御を行う（Ｓ−１５）。そして、露光ランプ２３１をオン、露光ランプ２３１をスキャンして所定時間経過後に露光ランプ２３１をオフにし、露光ランプ２３１のスキャン動作を停止する（Ｓ−１６、Ｓ−１７）。この所定時間も、通常プラテンガラス２２がプラテンガラス加熱制御によって結露の発生しない温度まで加熱されるのに要する時間に設定されている。
【００６０】
また、制御部Ｆは、温度差が第一基準以上で（Ｓ−１３）、第二基準以下である場合には（Ｓ−１４）、露光ランプ２３１をオンにするのみの制御を行い、プラテンガラス２２を加熱する制御を行う（Ｓ−１８）。
【００６１】
そして、制御部Ｆは、露光ランプ２３１をオンにしてから所定時間経過後に露光ランプ２３１をオフにする制御を行う（Ｓ−１９、Ｓ−２０）。
【００６２】
さらに、制御部Ｆは温度差が第一基準以下である場合には、プラテンガラス加熱制御を行わない（Ｓ−１３）。
【００６３】
このように温度差が第一基準を超えている場合のみにプラテンガラス加熱制御を行い、さらに、温度差が第二基準を超えているか否かでプラテンガラス加熱制御の内容を変更するようにすることで、余分な電力を消費せず、かつ、より一層効率よくプラテンガラス２２の結露の発生を防止することができる
【図面の簡単な説明】
【００６４】
【図１】本発明の画像形成装置の一例を説明するための断面図である。
【図２】本発明の画像形成装置の一例の概略ブロック図である。
【図３】本発明の画像形成装置の制御動作の一例を示すフローチャートである。
【図４】本発明の画像形成装置の制御動作の一例を示すフローチャートである。
【符号の説明】
【００６５】
１  自動原稿送り装置
２  画像読み取り装置
３  画像形成部
４  給紙部
Ｆ  制御部
Ｇ  カウント部
Ｈ  温度センサー
【図１】
2005099100.tif 000002
【図２】
2005099100.tif 000003
【図３】
2005099100.tif 000004
【図４】
2005099100.tif 000005